(57)【特許請求の範囲】
【請求項１】
回転することによりシャッターカーテンを繰り出し、巻き取る複数個の巻取部が軸方向に並設されているとともに、互いに隣接している２個の巻取部が、これらの巻取部の一部同士が重ね部分となって位置ずれ配置され、これら２個の巻取部のうちの一方の巻取部は、前記２個の巻取部の前記重ね部分側のそれぞれの端部を支持する支持部材のうちの一方の支持部材で支持されているとともに、駆動源からの駆動力で回転し、かつこの駆動源からの駆動力は、前記一方の支持部材と、他方の巻取部を支持している他方の支持部材とに回転自在に架設された伝動軸を含んで構成されている駆動力伝達機構を介して前記他方の巻取部を回転させることを特徴とする建物用シャッターの駆動装置。
【請求項２】
請求項１に記載の建物用シャッターの駆動装置において、前記一方の支持部材には、前記駆動源からの駆動力で前記一方の巻取部を回転させる駆動力伝達機構が配置されていることを特徴とする建物用シャッターの駆動装置。
【請求項３】
請求項１又は２に記載の建物用シャッターの駆動装置において、前記駆動源は前記一方の支持部材に取り付けられていることを特徴とする建物用シャッターの駆動装置。
【請求項４】
請求項１〜３のいずれかに記載の建物用シャッターの駆動装置において、前記一方の支持部材は上下の部材の結合で形成され、これらの部材のうちの一方は前記一方の巻取部を支持し、他方に、前記駆動源からの駆動力によって前記他方の巻取部を回転させるための前記駆動力伝達機構が配置されていることを特徴とする建物用シャッターの駆動装置。
【請求項５】
請求項４に記載の建物用シャッターの駆動装置において、前記一方に、前記駆動源からの駆動力によって前記一方の巻取部を回転させるための駆動力伝達機構が配置されていることを特徴とする建物用シャッターの駆動装置。
【請求項６】
請求項４又５に記載の建物用シャッターの駆動装置において、前記一方に前記駆動源が取り付けられていることを特徴とする建物用シャッターの駆動装置。
【請求項７】
請求項１〜６のいずれかに記載の建物用シャッターの駆動装置において、前記シャッターカーテンは耐火シートで形成されていることを特徴とする建物用シャッターの駆動装置。
【発明の詳細な説明】
【０００１】
【発明の属する技術分野】
本発明は、建物用シャッターのシャッターカーテンを繰り出し、巻き取るための駆動装置に係り、例えば、シャッターカーテンが耐火性シートで形成された防災用シャッターに利用できるものである。
【０００２】
【背景技術】
シャッターカーテンが耐火性シートで形成されている防災用シャッターは、例えば、建物の防災区画の境界部に配置され、この境界部は、通常の建物出入口よりも幅寸法が大きい大スパンを要求される場合がある。このような大スパンの境界部の天井裏に防災用シャッターの巻取部を設置し、この巻取部の正逆回転で耐火性シートの繰り出し、巻き取りを行って防災区画を開閉しようとする場合に、１本の巻取部で境界部の全長をカバーしようとすると、巻取部に大きな撓みが生じ、耐火性シートの繰り出し、巻き取りを所定どおり行えなくなるおそれがある。
【０００３】
この問題を解決するための一つの方策として、複数個の巻取部を軸方向に並設するとともに、互いに隣接している２個の巻取部を、これらの巻取部の一部同士を重ね部分として位置ずれ配置し、これにより、それぞれの巻取部に巻き取られている耐火性シートの対向側の端部同士を重ねて繰り出すことができるようにすることが考えられる。
【０００４】
【発明が解決しようとする課題】
このような解決策を採用した場合には、複数の巻取部を正逆回転させるための新たな駆動装置が必要となるが、構造が複雑になることは好ましくなく、簡単化することが求められる。
【０００５】
本発明の目的は、構造を簡単化できるようになる建物用シャッターの駆動装置を提供するところにある。
【０００６】
【課題を解決するための手段】
本発明に係る建物用シャッターの駆動装置は、回転することによりシャッターカーテンを繰り出し、巻き取る複数個の巻取部が軸方向に並設されているとともに、互いに隣接している２個の巻取部が、これらの巻取部の一部同士が重ね部分となって位置ずれ配置され、これら２個の巻取部の重ね部分側のそれぞれの端部を支持する支持部材に、複数個の巻取部のうちの少なくともこれら２個の巻取部を回転させる駆動手段が取り付けられていることを特徴とするものである。
【０００７】
この建物用シャッターの駆動装置によると、複数個の巻取部のうち、少なくとも互いに隣接している２個の巻取部を回転させる駆動手段は、これら２個の巻取部の重ね部分側のそれぞれの端部を支持する支持部材に取り付けられているため、巻取部の端部を支持するためにもともと必要な支持部材を利用して駆動手段の取り付けを行え、駆動手段の取り付けのための特別な部材等は不要になるため、構造を簡単化できる。
【０００８】
また、本発明に係る建物用シャッターの駆動装置は、回転することによりシャッターカーテンを繰り出し、巻き取る複数個の巻取部が軸方向に並設されているとともに、互いに隣接している２個の巻取部が、これらの巻取部の一部同士が重ね部分となって位置ずれ配置され、複数個の巻取部のうちの少なくともこれら２個の巻取部の一方を回転させる駆動力を発生する駆動源に、この駆動源からの駆動力を他方の巻取部に伝達して回転させる駆動力伝達機構の始端部が接続されていることを特徴とするものである。
【０００９】
この建物用シャッターの駆動装置によると、互いに隣接している２個の巻取部の一方を回転させる駆動力を発生する駆動源に、この駆動源からの駆動力を他方の巻取部に伝達して回転させる駆動力伝達機構の始端部が接続されているため、２個の巻取部を隣接配置させたとき、もともと１個の巻取部を駆動力伝達機構を介して回転させるために用意されていた駆動源に他方の巻取部のための駆動力伝達機構の始端部を接続するだけで、両方の巻取部を回転させることができる。このため、２個の巻取部を回転させるための駆動装置を、１個の巻取部を回転させるために用意されている機構をそのまま利用して構成することが可能になり、構造の簡単化を図ることができる。
【００１０】
以上の本発明において、巻取部の個数は２個でもよく、３個以上でもよい。巻取部が３個以上である場合には、３個目やそれ以降の巻取部を回転させる駆動手段、駆動源は、前記駆動手段、前記駆動源でもよく、他の駆動手段、他の駆動源を設けてこれらとしてもよい。
【００１１】
また、以上の本発明に係る建物用シャッターは、シャッターカーテンが耐火性シートによる防災用シャッターでもよく、複数のスラットやパネル、パイプ等で形成された通常の出入口用等のシャッターでもよく、本発明は任意な建物用シャッターに適用できる。
【００１２】
【発明の実施の形態】
以下に本発明の実施形態を図面に基づき説明する。図面で示された本実施形態の建物用シャッターは防災用シャッターである。
【００１３】
図１は、第１実施形態に係る防災用シャッター１の斜視図で、図２は、建物躯体を加えて示したその側断面図である。図２に示すように、建物の防災区画の境界部の天井裏空間Ｓには防災用シャッター１を構成する第１巻取部２と第２巻取部３とが上下に配置され、これらの巻取部２，３の両端部は支持部材であるブラケットで回転自在に支持されている。図１には、これらのブラケットのうち、第１巻取部２の右側ブラケット４と、第２巻取部３の左側ブラケット５とが示されている。
【００１４】
図１に示されているとおり、第１巻取部２と第２巻取部３は軸を平行としながら軸方向に並設されているとともに、第１巻取部２の右側の端部付近と第２巻取部３の左側の端部付近とが軸方向に重なった重ね部分となって上下に位置ずれ配置されている。ブラケット５には両巻取部２，３を正逆回転させる駆動源であるモータ６が取り付けられ、このモータ６の駆動軸６Ａに固定されたスプロケット７と、第２巻取部３の左側端部に固定されたスプロケット８とにチェーン９が掛け回されている。
【００１５】
また、モータ６の駆動軸６Ａにはスプロケット１０が固定され、ブラケット４とブラケット５には伝動軸１１が回転自在に架設されている。ブラケット５で支持されている伝動軸１１の左側端部にスプロケット１２が取り付けられ、このスプロケット１２とスプロケット１０とにチェーン１３が掛け回されている。さらに、ブラケット４で支持されている伝動軸１１の右側端部にスプロケット１４が取り付けられ、このスプロケット１４と、第１巻取部２の右側端部に固定されているスプロケット１５とにチェーン１６が掛け回されている。
【００１６】
以上において、ブラケット４，５は、図２に示すように、天井裏空間Ｓに形成されている建物躯体１７に取り付けられている。また、第１巻取部２と第２巻取部３にはシャッターカーテンである耐火性シート１８，１９が巻き付けられ、これらのシート１８，１９の下端は天井２０の細幅開口部２１から天井下空間に臨んでいる。
【００１７】
図示しないセンサで火災発生が検出されてモータ６が正回転すると、スプロケット７、チェーン９、スプロケット８からなる駆動力伝動機構２２により第２巻取部３が正回転するとともに、スプロケット１０、チェーン１３、スプロケット１２、伝動軸１１、スプロケット１４、チェーン１６、スプロケット１５からなる駆動力伝動機構２３を介して第１巻取部２も正回転し、これらの巻取部２，３は同速度で回転する。このため、両巻取部２，３からは耐火性シート１８，１９が互いの端部同士が重なりながら同速度で繰り出され、耐火性シート１８，１９の下端に設けられている座板が床に接触すると、モータ６は停止し、防火区画の境界部はこれら耐火性シート１８，１９で閉じられる。
【００１８】
一方、モータ６が逆回転すると、駆動力伝達機構２２，２３を介して両巻取部２，３は同速度で逆回転し、両巻取部２，３に耐火性シート１８，１９が巻き取られて上記座板が所定高さまで上昇した後、モータ６が停止することにより上記境界部は開放される。
【００１９】
以上において、両巻取部２，３を回転させるためにモータ６と駆動力伝達機構２２，２３から構成されている駆動手段は、両巻取部２，３のブラケット４，５に取り付けられている。これらのブラケット４，５はもともと巻取部２，３を天井裏空間Ｓで回転自在に支持するために設けられるものであるため、この駆動手段の取り付けを両巻取部２，３にもともと必要な部材を利用して行え、構造の簡単化を達成できる。
【００２０】
また、両駆動力伝達機構２２，２３の始端部は、モータ６の駆動軸６Ａに取り付けられたスプロケット７と１０で構成され、これらの始端部から両駆動力伝達機構２２，２３はモータ６より両巻取部２，３へと延びている。そして、巻取部３を回転させるための一方の駆動力伝達機構２２は、巻取部３の耐火性シート１９だけで幅の小さな防災区画境界部を開閉する場合において、この巻取部３だけをモータ６からの駆動力で回転させるための機構として使用できるものである。本実施形態では、巻取部２を回転させるための他方の駆動力伝達機構２３の始端部はモータ６に接続されているため、隣接配置されている両巻取部２，３を同じモータ６からの駆動力で回転させるための本実施形態に係る駆動装置は、幅の小さな防災区画境界部用としてもともと巻取部３だけを回転させるために用意されていた一方の駆動力伝達機構２２をそのまま使用し、モータ６に、新たに用意した他方の駆動力伝達機構２３の始端部を接続するだけで構造簡単に構成することができる。
【００２１】
図３は別実施形態を示し、この実施形態では巻取部３のブラケット５は、上下の部材５Ａ，５Ｂをボルト等の結合具３０で結合することにより形成されている。この実施形態によると、下ブラケット５Ａとモータ６と駆動力伝達機構２２とにより構成されていた、巻取部３だけによる幅の小さな防災区画境界部用の防災用シャッターの駆動装置に、上部材５Ｂと駆動力伝達機構２３とを追加するだけで、両巻取部２，３を使用した幅の大きな防災区画境界部用の防災用シャッターの駆動装置を構成することができ、もともと用意されていた下部材５Ａを使用するため、幅の小さな防災区画境界部用の防災用シャッターの駆動装置の全部を使用することにより、簡単な構造とすることができる。
【００２２】
【発明の効果】
本発明によると、建物用シャッターの駆動装置を簡単の構造で構成できるという効果を得られる。
【図面の簡単な説明】
【図１】第１実施形態の駆動装置を示す斜視図である。
【図２】建物の躯体を加えて示した図１の側断面図である。
【図３】第２実施形態を示す図１と同様の図である。
【符号の説明】
１  建物用シャッターである防災用シャッター
２，３  巻取部
４，５  支持部材であるブラケット
６  駆動源であるモータ
１８，１９  シャッターカーテンである耐火性シート
２２，２３  駆動力伝達機構
【図１】
0003597719.tif 000002
【図２】
0003597719.tif 000003
【図３】
0003597719.tif 000004